(57)【要約】【課題】この発明は、高精細方式に対応したデジタル映像コンテンツのデジタルコピーに対する自由度を高めてユーザにとっての取り扱いを便利にするとともに、著作権侵害等の問題に対しても十分に対処することができるようにした情報記録装置及び情報記録方法を提供することを目的としている。【解決手段】高精細方式のデジタル映像コンテンツをそのコピー情報とともに入力し、入力されたコピー情報が制限付きコピーを許可する情報である場合、入力されたデジタル映像コンテンツを標準方式のデジタル映像コンテンツに変換するとともに、入力されたデジタル映像コンテンツに関連するコマーシャル情報を取得する。そして、取得されたコマーシャル情報と標準方式に変換されたデジタル映像コンテンツとをミキシングして、デジタルコピー用コンテンツとして出力する。【選択図】    図１
2008278255.tif 000002
【特許請求の範囲】
【請求項１】
高精細方式に対応したデジタル映像コンテンツがそのコピー情報とともに入力される入力手段と、
前記入力手段に入力されたコピー情報が制限付きコピーを許可する情報である場合、前記入力手段に入力されたデジタル映像コンテンツを標準方式に対応したデジタル映像コンテンツに変換する変換手段と、
前記入力手段に入力されたデジタル映像コンテンツに関連するコマーシャル情報を取得する取得手段と、
前記取得手段で取得されたコマーシャル情報と前記変換手段で標準方式に変換されたデジタル映像コンテンツとをミキシングして、デジタルコピー用コンテンツとして出力する混合手段とを具備することを特徴とする情報記録装置。
【請求項２】
前記取得手段は、前記高精細方式に対応したデジタル映像コンテンツとともに前記入力手段に入力されるコマーシャル情報を取得することを特徴とする請求項１記載の情報記録装置。
【請求項３】
前記取得手段は、前記入力手段に入力されたデジタル映像コンテンツを特定する情報と自己を特定する情報とをネットワークを介してサーバに送信することにより、前記入力手段に入力されたデジタル映像コンテンツに関連するコマーシャル情報の取得を要求し、その要求に応じて前記サーバからネットワークを介して送信されるコマーシャル情報を取得することを特徴とする請求項１記載の情報記録装置。
【請求項４】
前記混合手段は、前記変換手段で標準方式に変換されたデジタル映像コンテンツによる表示映像に重畳させて、前記取得手段で取得されたコマーシャル情報が表示されるようにミキシングすることを特徴とする請求項１記載の情報記録装置。
【請求項５】
前記混合手段は、前記変換手段で標準方式に変換されたデジタル映像コンテンツに字幕が存在する場合、その字幕を避けて前記取得手段で取得されたコマーシャル情報が表示されるようにミキシングすることを特徴とする請求項４記載の情報記録装置。
【請求項６】
前記コピー情報は、無条件コピー許可、制限付きコピー許可、コピー禁止のいずれかを示す情報を含むことを特徴とする請求項１記載の情報記録装置。
【請求項７】
高精細方式に対応したデジタル映像コンテンツをそのコピー情報とともに入力する第１の工程と、
前記第１の工程で入力されたコピー情報が制限付きコピーを許可する情報である場合、前記第１の工程で入力されたデジタル映像コンテンツを標準方式に対応したデジタル映像コンテンツに変換する第２の工程と、
前記第１の工程で入力されたデジタル映像コンテンツに関連するコマーシャル情報を取得する第３の工程と、
前記第３の工程で取得されたコマーシャル情報と前記第２の工程で標準方式に変換されたデジタル映像コンテンツとをミキシングして、デジタルコピー用コンテンツとして出力する第４の工程とを具備することを特徴とする情報記録方法。
【請求項８】
前記第３の工程は、前記高精細方式に対応したデジタル映像コンテンツとともに前記第１の工程で入力されるコマーシャル情報を取得することを特徴とする請求項７記載の情報記録方法。
【請求項９】
前記第３の工程は、前記第１の工程で入力されたデジタル映像コンテンツを特定する情報と自己を特定する情報とをネットワークを介してサーバに送信することにより、前記第１の工程で入力されたデジタル映像コンテンツに関連するコマーシャル情報の取得を要求し、その要求に応じて前記サーバからネットワークを介して送信されるコマーシャル情報を取得することを特徴とする請求項７記載の情報記録方法。
【発明の詳細な説明】
【技術分野】
【０００１】
この発明は、例えばＤＶＤ（digital versatile disk）等の情報記録媒体にデジタルデータを記録する情報記録装置及び情報記録方法に係り、特にそのＨＤ（high definition）方式に対応したデジタル映像コンテンツを入力して情報記録媒体にデジタルコピーする技術を改良したものに関する。
【背景技術】
【０００２】
周知のように、デジタルＴＶ（television）放送や、インターネットのような有線を使用した放送等における圧縮動画を放送（配信）するための方式において、共通の基本フォーマットとなるＭＰＥＧ（moving picture experts group）−ＴＳ（transport stream）方式では、パケットが管理データ部分とペイロードとに分かれている。
【０００３】
このうち、ペイロードには、再生されるべき対象となるデータがスクランブルの掛かった状態で含まれている。なお、ＡＲＩＢ（association of radio industries and business）によれば、その他の、ＰＡＴ（program association table）、ＰＭＴ（program map table）及びＳＩ（service information）等に関しては、スクランブルされていない。また、ＰＭＴやＳＩ［ＳＤＴ（service description table）、ＥＩＴ（event information table）、ＢＡＴ（bouquet association table）等を含む］を利用して、様々な管理情報を作成することができる。
【０００４】
デジタル放送の再生対象としては、ＭＰＥＧビデオデータ、Dolby ＡＣ（audio compression）３オーディオデータ、ＭＰＥＧオーディオデータ、データ放送データ等がある。さらに、再生対象には直接関係ないが、再生する上で上記したＰＡＴ、ＰＭＴ、ＳＩ等の情報（番組情報等）が必要となる。
【０００５】
ＰＡＴには、番組毎のＰＭＴのＰＩＤ（packet identification）が含まれてする。さらに、ＰＭＴには、ビデオデータやオーディオデータのＰＩＤが記録されている。これにより、ＳＴＢ（set top box）は、通常の再生手順として、ＥＰＧ（electronic program guide）情報に基づいてユーザが番組を決定すると、目的の番組の開始時間にＰＡＴを読み込み、そのＰＡＴを基に希望の番組に属するＰＭＴのＰＩＤを決定する。
【０００６】
その後、決定されたＰＩＤに従って目的のＰＭＴを読み出し、そこに含まれる再生すべきビデオパケットやオーディオパケットのＰＩＤを決定し、ＰＭＴやＳＩによりビデオやオーディオの属性を読み出して各デコーダにセットし、上記したビデオやオーディオのデータをＰＩＤに従って切り出すことにより、再生を実行する。ここで、ＰＡＴ、ＰＭＴ、ＳＩ等は、途中再生にも使用するために、数１００ｍｓ毎に送信されてくる。
【０００７】
ところで、これらの放送では、ＨＤ方式に対応した高精細のデータがデジタルで送信されてくるため、例えばＤＶＤレコーダ等の記録再生装置を用いてデジタルコピー処理を行なうと、劣化無くコピーができるので著作権等の問題が発生することになる。このため、これらのコンテンツに対しては、コピー制御情報を入れることにより、記録再生装置側において、タイトル製作者の意図に反するデジタルコピーができないように規制している。しかしながら、現状では、タイトルのデジタルコピーに対する自由化の要求が非常に高まってきているのも事実である。
【０００８】
特許文献１には、第１の記録媒体に記録されているコンテンツと同一内容を有する関連コンテンツを第２の記録媒体に出力した場合、第１の記録媒体に記録されているコンテンツを再生不能化して第１の記録媒体に記録し、その再生不能化されたコンテンツの属性情報を抽出して出力することにより、コンテンツの質を落としてムーブした後においても、ムーブ前の質のコンテンツの再生を可能ならしめるとともに、ムーブしたコンテンツに関する情報をユーザに知らせるようにしたコンテンツ管理手段が開示されている。
【特許文献１】特開２００６−１５５８２０号公報
【発明の開示】
【発明が解決しようとする課題】
【０００９】
そこで、この発明は上記事情を考慮してなされたもので、高精細方式に対応したデジタル映像コンテンツのデジタルコピーに対する自由度を高めてユーザにとっての取り扱いを便利にするとともに、著作権侵害等の問題に対しても十分に対処することができるようにした情報記録装置及び情報記録方法を提供することを目的とする。
【課題を解決するための手段】
【００１０】
この発明に係る情報記録装置は、高精細方式に対応したデジタル映像コンテンツがそのコピー情報とともに入力される入力手段と、入力手段に入力されたコピー情報が制限付きコピーを許可する情報である場合、入力手段に入力されたデジタル映像コンテンツを標準方式に対応したデジタル映像コンテンツに変換する変換手段と、入力手段に入力されたデジタル映像コンテンツに関連するコマーシャル情報を取得する取得手段と、取得手段で取得されたコマーシャル情報と変換手段で標準方式に変換されたデジタル映像コンテンツとをミキシングして、デジタルコピー用コンテンツとして出力する混合手段とを備えるようにしたものである。
【００１１】
また、この発明に係る情報記録方法は、高精細方式に対応したデジタル映像コンテンツをそのコピー情報とともに入力する第１の工程と、第１の工程で入力されたコピー情報が制限付きコピーを許可する情報である場合、第１の工程で入力されたデジタル映像コンテンツを標準方式に対応したデジタル映像コンテンツに変換する第２の工程と、第１の工程で入力されたデジタル映像コンテンツに関連するコマーシャル情報を取得する第３の工程と、第３の工程で取得されたコマーシャル情報と第２の工程で標準方式に変換されたデジタル映像コンテンツとをミキシングして、デジタルコピー用コンテンツとして出力する第４の工程とを備えるようにしたものである。
【発明の効果】
【００１２】
上記した発明によれば、制限付きコピーにより、高精細方式に対応したデジタル映像コンテンツを標準方式に変換し、コマーシャル情報をミキシングしてデジタルコピー用コンテンツとしてコピーに供させるようにしたので、高精細方式に対応したデジタル映像コンテンツのデジタルコピーに対する自由度を高めてユーザにとっての取り扱いを便利にするとともに、著作権侵害等の問題に対しても十分に対処することができるようになる。
【発明を実施するための最良の形態】
【００１３】
以下、この発明の実施の形態について図面を参照して詳細に説明する。現在、映像メディアとしてＤＶＤが、特に映像フォーマットとしては、セルビデオとしてＤＶＤビデオが一般的に普及し、テープメディアより、世代交代が進んできている。
【００１４】
さらに、記録メディアとして、ＤＶＤ−ＲＡＭ（random access memory）、ＤＶＤ−ＲＷ（rewritable）等が普及し、ＨＤ−ＤＶＤメディアが構築されつつある。このときの記録フォーマットはＤＶＤ−ＶＲ（video recording）フォーマットで、ＨＤ用としてＨＤ−ＤＶＤ−ＶＲがある。
【００１５】
ＨＤ−ＤＶＤ−ＶＲのフォーマットでは、一般のファイルシステムのあるディスクのデータ領域に、映像データの管理情報ファイル（１以上）と映像データファイル（１以上）とが分かれて記録されている。このうち、管理情報ファイルには、オブジェクトの属性を示す属性情報と、再生手順を示すＰＧＣ（program chain）情報と、オブジェクトの保存場所を示すＲＶＯＢ情報がある。そして、ＰＧＣ情報にしたがって再生順番が決められ、ＶＯＢ情報により再生位置が決められ、属性情報に基づいて再生が行なわれる。
【００１６】
さらに説明すると、再生単位においては、ＰＧＣはＰＧ（program）で構成され、ＰＧはセル（cell）で構成される。オブジェクトでは、ＶＯＢＳ（video object set）がＶＯＢ（video object）で構成され、ＶＯＢはＶＯＢＵ（video object unit）で構成される。そして、ＶＯＢＵは、ＲＤＩ（real-time data information）パックを先頭に、ビデオパック（video pack）、オーディオパック（audio pack）、副映像パック（sub picture pack）等が、それぞれ複数で構成されている。
【００１７】
通常、ＤＶＤでは、ＭＰＥＧシステムレイヤのＰＳ（program stream）で記録されている。このＰＳは、記録デバイスに記録するときに用いるように作成され、デジタル放送ではＴＳが使用される。デジタル放送の場合、放送されたストリームをパケットグループ化して記録する。パケットグループはパケットグループヘッダと、パケットアライバル時間とＴＳパケットを一対に１７０個を１つのパケットグループとしている。
【００１８】
図１は、この実施の形態で説明する記録再生装置の概要を示している。この記録再生装置は、主として、ＤＶＤ等の光ディスク１１に対して情報の書き込み及び読み出しを行なうディスクドライブ部１２、図示しないハードディスクに対して情報の書き込み及び読み出しを行なうＨＤＤ部１３、データプロセッサ部１４、一時記憶部１５、エンコーダ部１６、デコーダ部１７、Ａ／Ｖ（audio／video）入力部１８、ＳＴＢ部１９、地上波デジタルチューナ部２０、Ｖ（video）ミキシング部２１、フレームメモリ部２２、ＴＶ用のＤ／Ａ（digital／analog）変換部２３、ＳＴＣ（system time counter）部２４、ＭＰＵ（micro processing unit）部２５、キー入力部２６、表示部２７、ＬＡＮＩ／Ｆ（local area network interface）部２８、時計部２９、さらに画像フィルタ部３０により構成されている。
【００１９】
このうち、上記エンコーダ部１６は、Ａ／Ｄ（analog／digital）変換部３１、セレクタ３２、ビデオエンコード部３３、オーディオエンコード部３４、ＳＰエンコード部３５、フォーマッタ部３６、バッファメモリ部３７より構成されている。
【００２０】
また、上記デコーダ部１７は、分離部３８、ビデオデコード部３９、ＳＰデコード部４０、オーディオデコード部４１、ＴＳパケット転送部４２、ビデオプロセッサ部４３、オーディオ用のＤ／Ａ変換部４４より構成されている。
【００２１】
なお、上記ＳＴＢ部１９には、デジタル放送を受信するためのアンテナ４５が接続されている。また、上記ＳＴＣ部２４は、２７ＭＨｚベースでカウントを実行する。
【００２２】
ここで、情報記録時における信号の流れについて説明する。すなわち、ＳＴＢ部１９（または地上波デジタルチューナ部２０）で受信したＴＳパケットデータは、フォーマッタ部３６でパケットグループ化されてバッファメモリ部３７に一時保存され、一定量が蓄積された時点で、フォーマッタ部３６からデータプロセッサ部１４に転送され、光ディスク１２またはハードディスクに記録される。
【００２３】
また、ＴＳパケットの到着時間は、ＰＡＴＳ用のカウンタ４６でカウントされ、各ＴＳパケットの先頭に付けバッファされる。このカウンタ４６は、ＰＣＲ（program clock reference）によりカウント間隔の微調整を行ない同期化するが、ＳＴＣ部２４のようにＰＣＲの値をロードすることは無い。
【００２４】
このときの動作は、ＴＳパケットを受信すると１７０パケットずつグルーピング化し、パケットグループヘッダを作成する。この場合、パケットグループの先頭のパケットのＲＡＴＳの上位２バイトのみ（first_pats_ext）をヘッダに入れ、ＰＡＴＳは下位４バイトのみがＴＳパケットとともに（ＴＳパケットの前：ＰＡＴＳ）保存される。
【００２５】
また、ライン入力であるＡ／Ｖ入力部１８から入力されたアナログ信号は、Ａ／Ｄ変換部３１でデジタル変換される。このデジタル信号は、各エンコード部３３，３４，３５に入力される。すなわち、ビデオ信号は、ビデオエンコード部３３に入力されＭＰＥＧ圧縮される。また、オーディオ信号は、オーディオエンコード部３４に入力されＡＣ３圧縮またはＭＰＥＧオーディオ圧縮される。さらに、文字放送等の文字データは、ＳＰエンコード部３５に入力されランレングス圧縮される。
【００２６】
各エンコード部（ＶＲ用）３３，３４，３５からは、圧縮データが、パック化された場合に２０４８バイトになるようにパケット化されて出力され、フォーマッタ部３６に入力される。このフォーマッタ部３６では、各パケットをパック化し、さらに、プログラムストリームとして多重化して、データプロセッサ部１４に出力している。
【００２７】
このデータプロセッサ部１４は、入力されたプログラムストリームに対し、１６ＬＢ（logical block）毎にＥＣＣ（error checking and correcting）ブロックを形成し、エラー訂正データを付加して、ディスクドライブ部１２またはＨＤＤ部１３に出力することにより、光ディスク１１またはハードディスクに記録させる。
【００２８】
ここで、ディスクドライブ部１２やＨＤＤ部１３が、シーク中やトラックジャンプ等の場合のためビジィー状態の場合には、データが一時記憶部１５に入れられ、ディスクドライブ部１２やＨＤＤ部１３の準備ができるまで待つこととなる。
【００２９】
さらに、上記フォーマッタ部３６では、録画中に各切り分け情報を作成し、定期的にＭＰＵ部２５に出力している［ＧＯＰ（group of picture）先頭割り込み等］。この切り分け情報としては、ＶＯＢＵ（ＳＯＢＵ）のパック数、ＶＯＢＵ（ＳＯＢＵ）先頭からのRef_ピクチャ（Ｉピクチャ）のエンドアドレス、ＶＯＢＵ（ＳＯＢＵ）の再生時間等である。
【００３０】
次に、情報再生時における信号の流れについて説明する。すなわち、ＤＶＤやハードディスクからコンテンツを読み取る手段であるディスクドライブ部１２またはＨＤＤ部１３により、光ディスク１１またはハードディスクから読み出されたデータは、データプロセッサ部１４でエラー訂正が行なわれた後、デコーダ部１７に入力される。
【００３１】
上記ＭＰＵ部２５は、入力されるデータがＶＲデータかＳＲデータかの種別を判定（cell typeより判定）し、デコーダ部１７に再生前にその種別を設定する。ＳＲデータの場合、ＭＰＵ部２５は再生するセル情報ＣＥＬＬＩより、再生するＰＭＴ＿ＰＩＤを決め、該当するＰＭＴより、再生する各アイテム（ビデオ、オーディオ等）のＰＩＤを決め、デコーダ部１７に設定する。
【００３２】
デコーダ部１７では、設定されたＰＩＤを元に分離部３８で各ＴＳパケットを分離し、各デコード部３９，４０，４１に送る。各デコード部３９，４０，４１は、入力されたＴＳパケットにデコード処理を実行する。そして、映像成分は、ビデオプロセッサ部４３及びＶミキシング部２１を介した後、Ｄ／Ａ変換部２３でアナログ信号に変換されてＴＶ４７で表示される。また、音声成分は、Ｄ／Ａ変換部４４でアナログ化されてスピーカ４８で音声再生される。
【００３３】
また、ＶＲデータの場合、分離部３８は、固定のＩＤにしたがって各ＴＳパケットを対応するデコード部３９，４０，４１に送っている。各デコード部３９，４０，４１は、入力されたＴＳパケットにデコード処理を実行する。そして、映像成分は、ビデオプロセッサ部４３及びＶミキシング部２１を介した後、Ｄ／Ａ変換部２３でアナログ信号に変換されてＴＶ４７で表示される。また、音声成分は、Ｄ／Ａ変換部４４でアナログ化されてスピーカ４８で音声再生される。
【００３４】
次に、デジタル放送の記録時における信号の流れについて説明する。すなわち、ＳＴＢ部１９（または地上波デジタルチューナ部２０）で受け取ったＴＳパケットデータは、フォーマッタ部３６により、パケット毎にＰＡＴＳ（パケットアライバルタイム、パケット到着時間）が４バイト付けられ、そのストリームがパケットグループ化されてワークＲＡＭ４９に保存され、一定量蓄積された時点［１またはその整数倍のＣＤＡ（contiguous data area）分がたまった段階］で光ディスク１１またはハードディスクに記録される。
【００３５】
このときの動作は、ＴＳパケットを受信すると１７０パケットずつグルーピング化し、パケットグループヘッダを作成する。
【００３６】
ここで、デジタル放送にはＰＡＴ、ＰＭＴ、ＥＩＴ等のデータ管理テーブル情報があって、このデータをストリームより読み出し管理情報を作成する。
【００３７】
次に、例えば、上記のようにしてハードディスクに記録されたデジタル放送コンテンツを、光ディスク１１にデジタルコピーすることについて説明する。この場合、ＨＤＤ部１３がハードディスクから読み出したデジタルコンテンツは、デコーダ部１７の分離部３８からＴＳパケット転送部４２に送られ、到着時間にしたがって、上記ＳＴＢ部１９にＴＳパケットの形で送信される。
【００３８】
すると、このＳＴＢ部１９では、デジタルのビデオ信号を上記画像フィルタ３０に出力する。この画像フィルタ３０は、入力されたデジタルビデオ信号に対して後述する所定の信号処理を施した後、フォーマッタ部３６に出力している。そして、このフォーマッタ部３６は、画像フィルタ３０から供給されたデジタルビデオ信号をフォーマット化し、そのストリームがデータプロセッサ部１４及びディスクドライブ部１２を介して光ディスク１１に記録される。
【００３９】
図２は、上記画像フィルタ３０の一例を示している。すなわち、入力端子４９には、デジタルコピー時に、上記ＳＴＢ部１９から出力されるＨＤ方式に対応したデジタルビデオ信号が供給される。この入力端子４９に供給されたビデオ信号は、ＨＤ−ＳＤ（standard definition）変換部５０に供給されて、ＳＤ方式に対応したビデオ信号に変換される。
【００４０】
また、入力端子５１には、ＰＭＴまたはＥＩＴ等の番組配列情報から、ディスクリプタ形式またはデータ放送形式でＭＰＵ部２５が受信した、テキスト情報が供給されている。この入力端子５１に供給されたテキスト情報は、コマーシャル情報抽出部５２に供給されて、コマーシャル情報（コマーシャルとして表示すべき情報）が抽出される。
【００４１】
そして、ＨＤ−ＳＤ変換部５０から出力されるＳＤ方式に対応したビデオ信号と、コマーシャル情報抽出部５２から出力されるコマーシャル情報とは、ミキシング部５３に供給される。このミキシング部５３は、入力されたビデオ信号とコマーシャル情報とをフレームメモリ部５４を利用して混合し、その混合された信号をデジタルコピー用のコンテンツとして、出力端子５５を介して上記フォーマッタ部３６に出力し、コピーに供させるようにしている。
【００４２】
ここで、ＨＤ−ＳＤ変換部５０としては、例えば、図３（ａ）に示すような、水平方向画素数１９２０×垂直方向画素数１０８０（アスペクト比１６：９）のＨＤ（High Definition）方式対応のビデオ信号を、その解像度を低くして、同図（ｂ）に示すような、水平方向画素数７２０×垂直方向画素数４８０（アスペクト比４：３）のＳＤ（Standard Definition）方式（標準方式）対応のビデオ信号に変換している。また、コマーシャル情報としては、テキスト情報、簡単な動画情報、静止画情報等が考えられ、例えば、図３（ｃ）に示すような、メッセージを表示するものである。
【００４３】
そして、上記ミキシング部５３では、図４（ａ）に示すように、ＳＤ方式対応のビデオ信号にコマーシャル情報をオーバーラップして張り付けるようにしている。なお、ビデオ信号中に字幕がある場合は、その字幕位置を避けてコマーシャル情報を重畳することが必要である。
【００４４】
なお、ミキシング部５３におけるミキシング例としては、図４（ｂ）に示すように、水平方向画素数１９２０×垂直方向画素数１０８０（アスペクト比１６：９）のままのＨＤ画面に対し、本編の画像を左右どちらかに寄せ、その反対側の空き領域にコマーシャル情報をオーバーラップして張り付ける方法も考えられる。
【００４５】
図５は、コマーシャル情報の挿入例として、ディスクリプタで挿入する場合の具体例を示している。
【００４６】
上記したように、例えばハードディスクに記録されたデジタル放送コンテンツを光ディスク１１にデジタルコピーする際、ＨＤ方式対応のビデオ信号をＳＤ方式対応のビデオ信号に変換し、そのＳＤ方式対応のビデオ信号にコマーシャル情報をミキシングしてデジタルコピーすることにより、高精細方式に対応したデジタル映像コンテンツのデジタルコピーに対する自由度を高めることができ、ユーザにとっての取り扱いを便利にすることができるとともに、著作権侵害等の問題に対しても十分に対処することができるようになる。
【００４７】
図６及び図７は、上記したデジタルコピーを行なう際の記録再生装置の処理動作の一例をまとめたフローチャートを示している。すなわち、処理が開始（ステップＳ１）されると、ＭＰＵ部２５は、ステップＳ２で、各部の初期設定を行ない、ステップＳ３で、ＴＳを１バッファ分（十分な一定量）取り込む。
【００４８】
その後、ＭＰＵ部２５は、ステップＳ４で、コピー元となるコンテンツのオブジェクトデータを読み出し、そのＰＭＴまたはＥＩＴ内のデジタルコピー制御ディスクリプタ内に記述されているコピー情報を読み出し、ステップＳ５で、コピー許可になっているか否かを判別する。
【００４９】
そして、コピー許可になっていないと判断された場合（ＮＯ）、ＭＰＵ部２５は、ステップＳ６で、コピーを中止し、コピーが禁止されている旨を表示して、処理を終了（ステップＳ７）する。
【００５０】
また、上記ステップＳ５でコピー許可になっていると判断された場合（ＹＥＳ）、ＭＰＵ部２５は、ステップＳ８で、上記デジタルコピー制御ディスクリプタ内に記述されているコピー情報が、制限付きコピー許可になっているか否かを判別する。
【００５１】
そして、制限付きコピー許可になっていない（無条件コピー許可になっている）と判断された場合（ＮＯ）、ＭＰＵ部２５は、ステップＳ９で、コピー元となるコンテンツのオブジェクトデータをそのままコピー先にデジタルコピーするとともに、当該オブジェクトに対する管理情報もコピーし、管理情報を新たに作成する。
【００５２】
また、上記ステップＳ８でコピー情報が制限付きコピー許可になっていると判断された場合（ＹＥＳ）、ＭＰＵ部２５は、ステップＳ１０で、画像フィルタ３０を動作するように設定するとともに、コマーシャル情報をＰＭＴまたはＥＩＴからディスクリプタの形式等により読み出し（もしくはデータ放送内の画像データを読み出し）、画像フィルタ３０に設定する。このとき、字幕がある場合には、その位置を避けるように設定する。
【００５３】
その後、ＭＰＵ部２５は、ステップＳ１１で、画像フィルタ３０で変換処理されたオブジェクトとその元の管理情報とに基づいて新たに管理情報を作成し、ステップＳ１２で、画像フィルタ３０で変換処理されたオブジェクトとその管理情報とよりなるストリームをコピー先に記録する。
【００５４】
そして、上記ステップＳ９またはステップＳ１２の後、ＭＰＵ部２５は、ステップＳ１３で、コピーすべきストリームがまだ存在するか否かを判別し、存在すると判断された場合（ＹＥＳ）、ステップＳ３の処理に戻される。
【００５５】
また、上記ステップＳ１３でコピーすべきストリームが存在しないと判断された場合（ＮＯ）、ＭＰＵ部２５は、ステップＳ１４で、デジタルコピー制御ディスクリプタ内に記述されているコピー情報をコピー許可に変更し、ステップＳ１５で、変更後の管理情報を作成しコピー先に記録させて、処理を終了（ステップＳ７）する。
【００５６】
図８及び図９は、上記したデジタルコピーを行なう際の記録再生装置の処理動作の他の例をまとめたフローチャートを示している。すなわち、処理が開始（ステップＳ１６）されると、ＭＰＵ部２５は、ステップＳ１７で、各部の初期設定を実行する。
【００５７】
その後、ＭＰＵ部２５は、ステップＳ１８で、コピー元となるコンテンツのオブジェクトデータを読み出し、そのコピーするデータ（番組）を特定する情報（ＩＤ番号、番組名等）、記録再生装置を特定する情報（シリアル番号、機器名、メーカ名等）を、ＬＡＮＩ／Ｆ部２８からネットワークを介してサーバ（ホスト）に発信し、コマーシャル情報の取得を要求する。
【００５８】
そして、ＭＰＵ部２５は、ステップＳ１９で、サーバからコマーシャル情報を取得すると、ステップＳ２０で、画像フィルタ３０を動作するように設定するとともに、サーバから取得したコマーシャル情報を画像フィルタ３０に設定し、そのコマーシャル情報が画面に表示されるようにする。このとき、字幕がある場合には、その位置を避けるように設定する。
【００５９】
その後、ＭＰＵ部２５は、ステップＳ２１で、画像フィルタ３０で変換処理されたオブジェクトとその元の管理情報とに基づいて新たに管理情報を作成し、ステップＳ２２で、画像フィルタ３０で変換処理されたオブジェクトとその管理情報とよりなるストリームをコピー先に記録する。
【００６０】
そして、ＭＰＵ部２５は、ステップＳ２３で、コピーすべきストリームがまだ存在するか否かを判別し、存在すると判断された場合（ＹＥＳ）、ステップＳ１８の処理に戻される。また、上記ステップＳ２３でコピーすべきストリームが存在しないと判断された場合（ＮＯ）、ＭＰＵ部２５は、ステップＳ２４で、デジタルコピー制御ディスクリプタ内に記述されているコピー情報をコピー許可に変更し、変更後の管理情報を作成しコピー先に記録させて、処理を終了（ステップＳ２５）する。
【００６１】
図１０は、図８及び図９に示した動作が行なわれる際のサーバの処理動作の一例をまとめたフローチャートを示している。すなわち、処理が開始（ステップＳ２６）されると、サーバは、ステップＳ２７で、各部の初期設定を実行する。
【００６２】
そして、サーバは、ステップＳ２８で、記録再生装置からのコマーシャル情報の取得要求を受信すると、ステップＳ２９で、番組の対応するスポンサー情報や、そのとき宣伝すべき商品情報等に基づいてコマーシャル情報（スポンサー名、商品名、商品ロゴ情報等を含む）を作成し、ステップＳ３０で、記録再生装置に送信する。
【００６３】
その後、サーバは、ステップＳ３１で、記録再生装置のコピー状況をデータベースに登録し、処理を終了（ステップＳ３２）する。これにより、もし不正コピーが行なわれた場合、サーバは埋め込まれたシリアル番号よりデータベースを検索し、それを行なった記録再生装置を特定することが可能となる。
【００６４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６５】
【図１】この発明の実施の形態を示すもので、記録再生装置の概要を説明するために示すブロック構成図。
【図２】同実施の形態における記録再生装置に用いられる画像フィルタの一例を説明するために示すブロック構成図。
【図３】同実施の形態における画像フィルタのＨＤ−ＳＤ変換部とコマーシャル情報抽出部との動作を説明するために示す図。
【図４】同実施の形態における画像フィルタのミキシング部の動作を説明するために示す図。
【図５】同実施の形態におけるミキシング部でのコマーシャル情報の挿入例を説明するために示す図。
【図６】同実施の形態における記録再生装置がデジタルコピーを行なう際の処理動作の一例の一部を説明するために示すフローチャート。
【図７】同実施の形態における記録再生装置がデジタルコピーを行なう際の処理動作の一例の残部を説明するために示すフローチャート。
【図８】同実施の形態における記録再生装置がデジタルコピーを行なう際の処理動作の他の例の一部を説明するために示すフローチャート。
【図９】同実施の形態における記録再生装置がデジタルコピーを行なう際の処理動作の他の例の他の一部を説明するために示すフローチャート。
【図１０】同実施の形態における記録再生装置がデジタルコピーを行なう際の処理動作の他の例の残部を説明するために示すフローチャート。
【符号の説明】
【００６６】
１１…光ディスク、１２…ディスクドライブ部、１３…ＨＤＤ部、１４…データプロセッサ部、１５…一時記憶部、１６…エンコーダ部、１７…デコーダ部、１８…Ａ／Ｖ入力部、１９…ＳＴＢ部、２０…地上波デジタルチューナ部、２１…Ｖミキシング部、２２…フレームメモリ部、２３…Ｄ／Ａ変換部、２４…ＳＴＣ部、２５…ＭＰＵ部、２６…キー入力部、２７…表示部、２８…ＬＡＮＩ／Ｆ部、２９…時計部、３０…画像フィルタ、３１…Ａ／Ｄ変換部、３２…セレクタ、３３…ビデオエンコード部、３４…オーディオエンコード部、３５…ＳＰエンコード部、３６…フォーマッタ部、３７…バッファメモリ部、３８…分離部、３９…ビデオデコード部、４０…ＳＰデコード部、４１…オーディオデコード部、４２…ＴＳパケット転送部、４３…ビデオプロセッサ部、４４…Ｄ／Ａ変換部、４５…衛星アンテナ、４６…カウンタ、４７…ＴＶ、４８…スピーカ、４９…入力端子、５０…ＨＤ−ＳＤ変換部、５１…入力端子、５２…コマーシャル情報抽出部、５３…ミキシング部、５４…フレームメモリ部、５５…出力端子。
【図１】
2008278255.tif 000003
【図２】
2008278255.tif 000004
【図３】
2008278255.tif 000005
【図４】
2008278255.tif 000006
【図５】
2008278255.tif 000007
【図６】
2008278255.tif 000008
【図７】
2008278255.tif 000009
【図８】
2008278255.tif 000010
【図９】
2008278255.tif 000011
【図１０】
2008278255.tif 000012